(57)【特許請求の範囲】
【請求項１】
建築物１の外部を仕切る仕切り部に取付けられる断熱材４であって、
該断熱材４は、上記仕切り部を構成する垂木５または根太１５等の間に形成される間隙の両側に沿って直線状の添木端材ＨＳを配置し、該両添木端材ＨＳ間の内部空間に、原木１８の外周を長手方向に切断して角材Ｓを形成する際に生ずる複数の端材Ｈを、木表ＨＦを上にして平面状に列設配置して成る第１端材層Ｈ１と、該第１端材層Ｈ１の隣接する端材Ｈ間の上面に上記複数の端材Ｈの木表ＨＦ両側をそれぞれ重ねて平面状に列設配置して成る第２端材層Ｈ２とを収容し、重ねられた木表ＨＦ同士の両側を釘打ちにより順次幅方向に接合して上記第１、第２端材層Ｈ１，Ｈ２が上記両添木端材ＨＳと共に一体化され、長手方向両端の切断により規定の長さの方形に形成されて成ることを特徴とする製材端材を用いた断熱材。
【請求項２】
上記両添木端材ＨＳの内部空間に収容される上記第２端材層Ｈ２の上面に第３端材層Ｈ３が積層収容されて成り、該第３端材層Ｈ３は、上記第２端材層Ｈ２の隣接する端材Ｈ間の木裏ＨＲ面に上記複数の端材Ｈの木裏ＨＲ両側をそれぞれ重ねて平面状に列設配置して成り、重ねられた木裏ＨＲ同士の両側を釘打ちにより順次幅方向に接合して上記第１、第２及び第３端材層Ｈ１，Ｈ２，Ｈ３が上記両添木端材ＨＳと共に一体化されて成る請求項１に記載の製材端材を用いた断熱材。
【請求項３】
上記第２端材層Ｈ２の上面全面には、該第２端材層Ｈ２の上面を両添木端材ＨＳと共に覆うようにクラフト紙２６が釘打ちにより被着されて成る請求項１または２に記載の製材端材を用いた断熱材。
【請求項４】
建築物１の外部を仕切る仕切り部に取付けられる断熱材４の製造方法であって、
上記仕切り部を構成する垂木５または根太１５等の間に形成される間隙Ｘ’に対応して規定幅に設定された一対の平行なガイド２２ａ，２２ｂを有する所定長さの搬送台２０と、該搬送台２０の搬送路上に配設された切断装置２４とを備え、両ガイド２２ａ，２２ｂの内側に沿って直線状の添木端材ＨＳを配置して該両添木端材ＨＳ間で形成される搬送台２０上の内部空間に原木１８の外周を長手方向に切断して角材Ｓを形成する際に生ずる複数の端材Ｈを、木表ＨＦを上にして平面状に列設配置して第１端材層Ｈ１を形成し、該第１端材層Ｈ１の隣接する端材Ｈ間の上面に上記複数の端材Ｈの木表ＨＦ両側をそれぞれ重ねて平面状に列設配置して第２端材層Ｈ２を形成し、重ねられた木表ＨＦ同士の両側を釘打ちにより順次幅方向に接合して上記第１、第２端材層Ｈ１，Ｈ２を上記両添木端材ＨＳと共に一体形成し、第２端材層Ｈ２の上面全面に該第２端材層Ｈ２の上面を両添木端材ＨＳと共に覆うようにクラフト紙２６を釘打ちにより被着したのち搬送台２０により所定量移動させて長手方向両端を上記切断装置２４の切断により規定の長さの方形に形成することを特徴とする製材端材を用いた断熱材の製造方法。
【発明の詳細な説明】
【技術分野】
【０００１】
本発明は、建築物の外部を仕切る仕切り部に取付けられる断熱材に係り、特に製材端材を用いた断熱材及びその製造方法に関する。
【背景技術】
【０００２】
建築物の構造として、在来工法である軸組み構造に、断熱材を屋根や床等に取付けて駆体を構成することで施工性の向上を図った木造建築物が知られている。このような木造建築物に使用される断熱材は、建築物の外部を仕切る仕切り部の枠組みと、この枠組みの両面に張付けられる面材と、これら枠組みと面材で区画される内部に設けられており、断熱性に優れるだけでなく構造用面材として使用することで建築物の強度の向上を図っている。
【０００３】
しかしながら、上記断熱材においては、その製造工程において、枠材や面材の切れ端である多くの端材が発生する。例えば、枠材の場合では定尺材から指定寸法のものを切断して使用しているため材料の歩留まりが悪く、端材を廃棄処理するための費用がかかるだけでなく森林資源の浪費を招くといった問題を有していた。
【０００４】
そこで、これらの問題を解決したものとして、歩留まりを少なくすると共に端材の廃棄処理費用を削減した断熱材が提案されている（特許文献１参照）。
【０００５】
このような断熱材は、枠材からなる上下の横枠及び左右の縦枠を方形に配して組立てた枠組みの両面に面材を張付け、これら枠組みと面材とで区画される内部に設けられている。そして上記枠組みの少なくとも一つの枠材は端材を連結手段によって連結されており、その端材は、枠材を所定寸法に切断する際に生ずるものが使用され、連結手段としては、例えば裏板としての板材（例えば合板）の切れ端である端材が使用されている。
【０００６】
【特許文献１】特開２０００―２２０２５１号公報（段落０００９〜００１１，図１）
【発明の開示】
【発明が解決しようとする課題】
【０００７】
しかしながら、上記の断熱材は、枠材を所定寸法に切断した際に生ずる端材や、板材（例えば合板）の切れ端を使用した端材が使用されているが、これらは殆ど枠組み加工時に生ずる端材を使用したもので、断熱材の枠組み製作時に生ずる端材だけでなく木造建築物の軸組構造を構成する柱や梁等の角材を例えば原木から製材する際にその外周を長手方向に切断して生ずる木皮の付いたままの端材等は、木皮の内部に害虫が生息したり腐り易いこと等から業者を介して廃棄されるため多くの処理費用が発生するだけでなく、森林資源の浪費を招く問題を有していた。
【０００８】
本発明は、このような問題点に着目してなされたもので、原木の外周を長手方向に切断して角材を製材する際に生ずる端材の大部分を使用して断熱材を構築することで、端材の廃棄処理費の削減並びに森林資源の節減を図ることができる製材端材を用いた断熱材及びその製造方法を提供することを目的とする。
【課題を解決するための手段】
【０００９】
上記の目的を解決するために、本発明の請求項１に記載の製材端材を用いた断熱材は、建築物１の外部を仕切る仕切り部に取付けられる断熱材４であって、該断熱材４は、上記仕切り部を構成する垂木５または根太１５等の間に形成される間隙の両側に沿って直線状の添木端材ＨＳを配置し、該両添木端材ＨＳ間の内部空間に、原木１８の外周を長手方向に切断して角材Ｓを形成する際に生ずる複数の端材Ｈを、木表ＨＦを上にして平面状に列設配置して成る第１端材層Ｈ１と、該第１端材層Ｈ１の隣接する端材Ｈ間の上面に上記複数の端材Ｈの木表ＨＦ両側をそれぞれ重ねて平面状に列設配置して成る第２端材層Ｈ２とを収容し、重ねられた木表ＨＦ同士の両側を釘打ちにより順次幅方向に接合して上記第１、第２端材層Ｈ１，Ｈ２が上記両添木端材ＨＳと共に一体化され、長手方向両端の切断により規定の長さの方形に形成されて成ることを特徴とする製材端材を用いた断熱材である。
上記製材端材を用いた断熱材によれば、仕切り部を構成する垂木５または根太１５等の間に形成される間隙の両側に沿って配置される直線状の添木端材ＨＳ間の内部空間に、原木１８の外周を長手方向に切断して角材Ｓを形成する際に生ずる複数の端材Ｈの木表ＨＦを上にして平面状に列設配置して第１端材層Ｈ１を形成すると共に、該第１端材層Ｈ１の隣接する端材Ｈ間の上面に複数の端材Ｈの木表ＨＦ両側をそれぞれ重ねて平面状に列設配置して第２端材層Ｈ２を形成し、重ねられた木表ＨＦ同士の両側を釘打ちにより順次幅方向に接合して上記第１、第２端材層Ｈ１，Ｈ２が両添木端材ＨＳと共に一体化されて長手方向両端の切断により規定の長さの方形に形成される。
【００１０】
本発明の請求項２に記載の製材端材を用いた断熱材は、上記両添木端材ＨＳの内部空間に収容される上記第２端材層Ｈ２の上面に第３端材層Ｈ３が積層収容されて成り、該第３端材層Ｈ３は、上記第２端材層Ｈ２の隣接する端材Ｈ間の木裏ＨＲ面に上記複数の端材Ｈの木裏ＨＲ両側をそれぞれ重ねて平面状に列設配置して成り、重ねられた木裏ＨＲ同士の両側を釘打ちにより順次幅方向に接合して上記第１、第２及び第３端材層Ｈ１，Ｈ２，Ｈ３が上記両添木端材ＨＳと共に一体化されて成る製材端材を用いた断熱材である。
上記の製材端材を用いた断熱材によれば、第２端材層Ｈ２の隣接する端材Ｈ間の木裏ＨＲ面に複数の端材Ｈの木裏ＨＲ両側をそれぞれ重ねて平面状に列設配置して第３端材層Ｈ３を形成し、重ねられた木裏ＨＲ同士の両側を釘打ちにより順次幅方向に接合して第１、第２及び第３端材層Ｈ１，Ｈ２，Ｈ３が両添木端材と共に一体形成される。
【００１１】
本発明の請求項３に記載の製材端材を用いた断熱材は、上記第２端材層Ｈ２の上面全面には、該第２端材層Ｈ２の上面を両添木端材ＨＳと共に覆うようにクラフト紙２６が釘打ちにより被着されて成る製材端材を用いた断熱材である。
上記の製材端材を用いた断熱材によれば、第２端材層Ｈ２の上面全面には、該第２端材層Ｈ２の上面を両添木端材ＨＳと共に覆うようにクラフト紙２６が釘打ちにより被着され、第２端材層Ｈ２と第３端材層Ｈ３の間にクラフト紙２６を介装することもできる。
【００１２】
本発明の請求項４に記載の製材端材を用いた断熱材の製造方法は、建築物１の外部を仕切る仕切り部に取付けられる断熱材４の製造方法であって、上記仕切り部を構成する垂木５または根太１５等の間に形成される間隙Ｘ’に対応して規定幅に設定された一対の平行なガイド２２ａ，２２ｂを有する所定長さの搬送台２０と、該搬送台２０の搬送路上に配設された切断装置２４とを備え、両ガイド２２ａ，２２ｂの内側に沿って直線状の添木端材ＨＳを配置して該両添木端材ＨＳ間で形成される搬送台２０上の内部空間に原木１８の外周を長手方向に切断して角材Ｓを形成する際に生ずる複数の端材Ｈを、木表ＨＦを上にして平面状に列設配置して第１端材層Ｈ１を形成し、該第１端材層Ｈ１の隣接する端材Ｈ間の上面に上記複数の端材Ｈの木表ＨＦ両側をそれぞれ重ねて平面状に列設配置して第２端材層Ｈ２を形成し、重ねられた木表ＨＦ同士の両側を釘打ちにより順次幅方向に接合して上記第１、第２端材層Ｈ１，Ｈ２を上記両添木端材ＨＳと共に一体形成し、第２端材層Ｈ２の上面全面に該第２端材層Ｈ２の上面を両添木端材ＨＳと共に覆うようにクラフト紙２６を釘打ちにより被着したのち搬送台２０により所定量移動させて長手方向両端を上記切断装置２４の切断により規定の長さの方形に形成することを特徴とする製材端材を用いた断熱材の製造方法である。
【発明の効果】
【００１３】
本発明は以下の効果を奏する。
【００１４】
請求項１に記載の発明によれば、原木の外周を長手方向に切断して角材を製材する際に生ずる複数の端材を、所定幅に配置される直線状の添木間に列設配置して交互に重ねて釘打ちにより接合し両添木端材と共に一体化し、長手方向両端の切断により規定の長さの方形に形成することで、端材の廃棄処理費の削減並びに森林資源の節減を図ることができる。
【００１５】
請求項２に記載の発明によれば、両添木端材の内部空間に第２端材層に加え、第３端材層を積層収容することで、より断熱効果の高い断熱材を構成することができる。
【００１６】
請求項３に記載の発明によれば、断熱材の上面または中間に防湿性を有するクラフト紙を被着することで、断熱材の保温性と共に防湿性が高まり湿気の侵入が防止され内側での結露の発生を防止することができる。
【００１７】
請求項４に記載の発明によれば、搬送台を作業台として使用することで、上下に重ねて交互に列設配置された端材の両側を釘打ちにより順次幅方向に接合して第１、第２端材層を両添木端材と共に一体形成され、一体形成された断熱材を搬送台上での移動量に応じて長手方向両端を切断装置により切断することで規定長さの断熱材が形成され、垂木または根太等の間に形成される間隙に併せて各種サイズの方形状の断熱材を能率良く製作することができる。
【発明を実施するための最良の形態】
【００１８】
本発明の実施例を以下に説明する。
【実施例１】
【００１９】
本発明の実施例を図面に基づいて説明すると、先ず図1は本発明の実施例１における製材端材を用いた断熱材であって、この断熱材を木造建築物の屋根及び外壁に使用した説明図、図２は本発明の実施例１における製材端材を用いた断熱材であって、この断熱材を木造建築物の床面に使用した説明図、図３の（ａ）、（ｂ）は本発明の実施例２に係り、原木の外周を長手方向に切断して製材される角材及び長手方向に切断された端材の説明図、図４は長手方向に切断された原木からそれぞれ説明図、図５は原木から角材を製材する際に外周を長手方向に切断して形成される端材との関係を示す説明図、図６の（ａ）〜（ｃ）は原木から角材製材時に切断された端材から更に板材を製材する工程を示す説明図、図７は断熱材を製造する際に使用される端材を準備する工程の説明図、図８（ａ）は搬送台上に端材を列設させて第１端材層を形成する工程の説明図、（ｂ）は（ａ）のＡ−Ａ断面図、図９（ａ）は搬送台上に端材を列設させて第１端材層の上面に第２端材層を形成する工程の説明図、（ｂ）は（ａ）のＢ−Ｂ断面図、図１０は第１端材層と第２端材層を構成した複数の端材から所定寸法の方形に形成する工程の説明図、図１１は第２端材層の上面にクラフト紙を被着する工程の説明図、図１２は第２端材層の上面全面にクラフト紙を被着したのち所定長さに切断する工程の説明図であり、図１３は第１、第２端材層から成る断熱材を垂木間に設置した状態の説明図である。
【００２０】
先ず、図1には本発明の実施例１としての製材端材を用いて構成された断熱材を、軸組み構造で構成される木造建築物の屋根及び壁面に使用した例が示されており、符号１は木造建築物で、この建築物１の軸組（構造材）における仕切り部となる屋根の内部や壁面内部には、それぞれ断熱材４または８ａ，８ｂが取付けられている。
【００２１】
屋根用の断熱材４は、複数の母屋材６の間に斜めに支持される複数の垂木５の間や、壁面用の断熱材８ａ，８ｂは、軸組を構成する間柱２の間にそれぞれ組込まれている。また、図２に示される床面にも複数の断熱材１４が組込まれており、これらの断熱材１４は、並設された複数の大引１６上に所定間隔で支持される根太１５の間に、例えばあら床（不図示）を介して取付けられ、断熱材１４の上面にはフローリング１２が敷設される。
【００２２】
上記の各種断熱材は、本発明の製材端材を用いたものであって、それぞれサイズは異なるが基本的には同じ構造であり、本実施例では屋根用の断熱材４に付き説明する。
【００２３】
すなわち、断熱材４は、図３（ａ），（ｂ）に示すように原木１８から木造建築物の軸組構造を構成する柱や梁等の角材Ｓが製材される際に、原木１８の外周を長手方向に切断することで生ずる各種サイズの細長状の端材Ｈを使用して所定厚みの平面方形状に構成したものである。
【００２４】
詳しくは、図１３に示すように、上記の垂木５、または根太１５の間に形成される規定間隙Ｘ’の両側に沿って平行に配設される直線状の添木端材ＨＳ間の内部空間に、複数の端材Ｈの木表ＨＦを上にして列設して平面状に形成される第１端材層Ｈ１と、この第１端材層Ｈ１の隣接する端材Ｈ間の上面に複数の端材Ｈの木表ＨＦ両側をそれぞれ交互に重ねて列設配置して平面状に形成される第２端材層Ｈ２とから成り、重ねられた木表ＨＦ同士の両側を釘打ちにより順次幅方向に接合して第１、第２端材層Ｈ１，Ｈ２が両添木端材ＨＳと共に一体化され、長手方向両端を規定寸法（例えば６尺）に切断して規定長さの方形に形成した断熱材４が構築されており、第２端材層Ｈ２の上面全面には、必要に応じてクラフト紙２６が釘打ちにより被着されている。
【実施例２】
【００２５】
次に、上記の断熱材４の製造方法に付き説明する。最初に端材の形成工程に付き説明する。先ず、図３（ａ）及び図５に示すように、例えば原木１８から木造建築物の軸組構造を構成する柱や梁等の角材Ｓを製材するに際し、原木１８の外周を平行な切断線Ｃ１，Ｃ２に沿って長手方向に切断して平行な２面を形成したのち、これら２面と直交する平行な切断線Ｃ３，Ｃ４に沿って長手方向に切断することで角材Ｓが形成される。ここで、角材Ｓの形成によって生ずる四枚の端材Ｈは、図３（ｂ）に示すように切断された年輪Ｎ側を木裏ＨＲ、外側を木表ＨＦと称している。
【００２６】
図４に示すように、大小の原木１８ａ，１８ｂからは、それぞれ原木１８ａ，１８ｂの外形に対応した角材Ｓ１またはＳ２を切り出すことができ、これによって各種寸法の細長い板状の端材Ｈが形成される。
【００２７】
更に、図６の（ａ）〜（ｃ）に示すように、角材Ｓの形成によって生ずる四枚の端材Ｈの内、板厚が厚い端材Ｈからは、木裏ＨＲ面と平行な切断線Ｃ５に沿って長手方向に切断することで軸組み用の板材Ｈ’として使用することができ、これによって生ずる端材Ｈ’’は断熱材に使用することができる。
【００２８】
次に、断熱材の製作の準備作業となる最初の工程である端材の処理工程に付き図７を参照して説明する。
【００２９】
最初の工程ＳＴ１では、製材所にて原木１８の外周を平行な切断線Ｃ１〜Ｃ４に沿って長手方向に切断することで、柱や梁の芯材となる角材Ｓを製作し、次の工程ＳＴ２では、角材Ｓの製作時に生じた各種サイズの端材Ｈを収集する。
【００３０】
工程ＳＴ３では、収集した各種端材Ｈの皮を剥ぎ取ってこれを農家の畑の草止めとすると共に、工程ＳＴ４で端材Ｈを２週間程度自然乾燥させることで使用可能な端材Ｈとなり、断熱材製作の準備が完了する（工程ＳＴ５）。
【００３１】
次に、製材端材を用いた断熱材の製造工程に付き図８〜図１３を参照して順次説明する。
【００３２】
先ず、図８（ａ），（ｂ）に示すように、端材Ｈを組立てる作業台の機能を有する搬送台として例えばローラコンベア２０が用意され、これが作業テーブルＴ上に設置される。このローラコンベア２０は、両側に一対の平行なガイドとなる所定長さ（少なくとも６尺以上の長さ）のフレーム２２ａ，２２ｂが配置されて、これら両フレーム２２ａ，２２ｂ間の下方には複数のローラＲが所定間隔で回転自在に支持されている。
【００３３】
ローラコンベア２０の両フレーム２２ａ，２２ｂ内側の間隙は、例えば垂木または根太等の間に形成される間隙に対応する規定の幅に予め設定されており、ローラコンベア２０の搬送路前方には、両フレーム２２ａ，２２ｂ内側の間隙より横長の切断装置２４が配設され、搬送路と直交するように設置されており、例えば一方の両フレーム２２ａの上面には切断装置２４を基準とする図示しないスケールが取付けられている。
【００３４】
そこで、ローラコンベア２０の両フレーム２２ａ，２２ｂ内側に沿って一対の直線状に形成される添木端材ＨＳを配設し、これら両添木端材ＨＳ間に構成される複数のローラＲ上の内部空間に、予め用意された各種長さの端材Ｈが木裏ＨＲ面を下向きに、木表を上向きにしてローラコンベア２０の所定長さ（６尺以上の長さ）に亘って隙間の無いように平面状に列設配置することで第１端材層Ｈ１が形成される。
【００３５】
次に、図９（ａ），（ｂ）に示すように、ローラコンベア２０のローラＲ上に所定長さに亘って形成された第１端材層Ｈ１の上面に、隣接する端材Ｈ間の上面に複数の端材Ｈの木表ＨＦ両側をそれぞれ重ねて平面状に列設配置して第２端材層Ｈ２を形成する。
【００３６】
このようにして、ローラコンベアを省略した図１０に示すように略方形の板状の断熱材４が、両添木ＨＳによって規定幅Ｘに設定された状態で仮組みされる。この工程では未だ断熱材４の第１、第２端材層を構成する端材Ｈの両端は不揃いとなっており、最終工程では後述するように規定長さＬ（例えば６尺）に切断される。
【００３７】
そこで、図１１に示すように、必要に応じて第２端材層の上面全面にクラフト紙２６を被せ、その上面から釘２５を打ち付けて固定する。この釘打ちにより第１、第２端材層を同時に固定することができるが、この釘打ちに際し、図１３に示したように互いに交互に重ねられた隣接する木表ＨＦ同士の両側を釘打ちにより順次幅方向に接合することで第１、第２端材層を両添木端材ＨＳと共に一体形成する。尚、釘打ちの手順として第１、第２端材層Ｈ１，Ｈ２を先に固定したのち、第２端材層Ｈ２上に被せたクラフト紙２６を釘打ちにより固定することも可能である。
【００３８】
このように一体形成された断熱材４は、ローラコンベア２０によって切断装置２４まで移送されると、その先端が図１２に示すように切断線Ｃ６にて搬送路に直交する方向に切り揃えられ、更に切断装置２４を基準として目盛り６尺の位置まで搬送方向に移動させて切断線Ｃ７にて後端が切断されて方形の断熱材４が形成される。
【００３９】
次に、完成された断熱材４は、図１３に示すように両垂木５，５の規定間隙Ｘ’に嵌め込まれるが断熱材４を構成する添木端材ＨＳの両外側面と両垂木５，５の内側に形成される隙間は、クラフト紙２６の両端２６ａ，２６ｂの介装によって密閉される。尚、隙間にワラ，土等必要に応じて詰めてもよい。
【００４０】
従って、上記のように構成された断熱材によれば、原木１８の外周を長手方向に切断して角材Ｓを製材する際に生ずる複数の端材Ｈを、規定幅Ｘに配置される直線状の両添木ＨＳ間に列設配置し交互に重ねて釘打ちにより接合することで両添木端材ＨＳと共に一体化し、長手方向両端を規定長さＬ（例えば６尺）に切断して規定の長さの方形に形成することで、端材Ｈの廃棄処理費の削減並びに森林資源の節減を図ることができる。
【００４１】
また、断熱材４の第２端材層Ｈ２の上面に、防湿性を有するクラフト紙２６を被着することで、断熱材４の保温性と共に防湿性が高まり湿気の侵入が防止され結露の発生を防止することができる。
【実施例３】
【００４２】
次に、３層構造の断熱材に付き図１４を参照して説明する。尚、上記実施例と共通する部材は同一符号を付してその説明を省略する。図１４は実施例３に係り３層構造の断熱材を垂木間に設置した状態の断面図である。
【００４３】
図１４に示される符号２８は、３層構造の断熱材を示し、この断熱材２８は、垂木３０の間に形成される規定間隙Ｘ’の両側に沿って平行に配設される直線状の添木端材ＨＳ間の内部空間に収容配置される第１、第２端材層Ｈ１，Ｈ２に加え、第２端材層Ｈ２の上面に第３端材層Ｈ３を積層収容されている。
【００４４】
すなわち、３層構造の断熱材２８は、第２端材層Ｈ２の隣接する端材Ｈ間の木裏ＨＲ面に複数の端材Ｈの木裏ＨＲ両側をそれぞれ交互に重ねて平面状に列設配置し、重ねられた木裏ＨＲ同士の両側を上下両面から釘打ちにより順次幅方向に接合することで、第１、第２及び第３端材層Ｈ１〜Ｈ３が両添木端材ＨＳと共に一体化されて規定の長さの方形に形成されている。そして、この断熱材２８は、第２端材層Ｈ２と第３端材層Ｈ３との間に、必要に応じてクラフト紙２６を介装させることができる。
【００４５】
このように、３層構造の断熱材２８によれば、両添木端材ＨＳの内部空間に第２端材層Ｈ２に加え、第３端材層Ｈ３を積層収容することで、より断熱効果の高い断熱材２８を構成することができる。
【００４６】
以上、本発明の実施例を図面により説明してきたが、具体的な構成はこれら実施例に限られるものではなく、第４端材層、第５端材層等とすることができ、本発明の要旨を逸脱しない範囲における変更や追加があっても本発明に含まれることは勿論である。
【図面の簡単な説明】
【００４７】
【図１】本発明の実施例１における製材端材を用いた断熱材であって、この断熱材を木造建築物の屋根及び外壁に使用した説明図である。
【図２】本発明の実施例１における製材端材を用いた断熱材であって、この断熱材を木造建築物の床面に使用した説明図である。
【図３】（ａ）、（ｂ）は本発明の実施例２に係り、原木の外周を長手方向に切断して製材される角材及び長手方向に切断された端材の説明図である。
【図４】長手方向に切断された原木からそれぞれ説明図である。
【図５】原木から角材を製材する際に外周を長手方向に切断して形成される端材との関係を示す説明図である。
【図６】（ａ）〜（ｃ）は原木から角材製材時に切断された端材から更に板材を製材する工程を示す説明図である。
【図７】断熱材を製造する際に使用される端材を準備する工程の説明図である。
【図８】（ａ）は搬送台上に端材を列設させて第１端材層を形成する工程の説明図、（ｂ）は（ａ）のＡ−Ａ断面図である。
【図９】（ａ）は搬送台上に端材を列設させて第１端材層の上面に第２端材層を形成する工程の説明図、（ｂ）は（ａ）のＢ−Ｂ断面図である。
【図１０】第１端材層と第２端材層を構成した複数の端材から所定寸法の方形に形成する工程の説明図である。
【図１１】第２端材層の上面にクラフト紙を被着する工程の説明図である。
【図１２】第２端材層の上面全面にクラフト紙を被着したのち所定長さに切断する工程の説明図である。
【図１３】第１、第２端材層から成る断熱材を垂木間に設置した状態の断面図である。
【図１４】実施例３に係る３層構造の断熱材を垂木間に設置した状態の断面図である。
【符号の説明】
【００４８】
１                      建築物
２                      間柱
４                      断熱材
５                      垂木
６                      母屋材
８ａ，８ｂ              断熱材
１２                    フローリング
１４                    断熱材
１５                    根太
１６                    大引
１８                    原木
１８ａ，１８ｂ          原木
２０                    ローラコンベア（搬送台）
２２ａ，２２ｂ          フレーム（ガイド）
２４                    切断装置
２５                    釘
２６                    クラフト紙
２６ａ，２６ｂ          クラフト紙の両端
２８                    断熱材
３０                    垂木
Ｃ１〜Ｃ７              切断線
Ｈ                      端材
Ｈ’                    板材
Ｈ’’                  端材
Ｈ１                    第１端材層
Ｈ２                    第２端材層
Ｈ３                    第３端材層
ＨＦ                    木表
ＨＲ                    木裏
ＨＳ                    添木端材
Ｎ                      年輪
Ｒ                      ローラ
Ｓ，Ｓ１                角材
Ｔ                      作業テーブル
Ｘ                      規定幅
Ｘ’                    規定間隙
【要約】
【課題】  原木の外周を長手方向に切断して角材を製材する際に生ずる端材の大部分を使用して断熱材を構築することで、端材の廃棄処理費の削減並びに森林資源の節減を図ることができる製材端材を用いた断熱材及びその製造方法を提供する。
【解決手段】  断熱材４は、垂木５の間に形成される間隙の両側に沿って配置された直線状の添木端材ＨＳ間の内部空間に原木の外周を長手方向に切断して角材を形成する際に生ずる複数の端材Ｈを、木表ＨＦを上にして平面状に列設配置して成る第１端材層Ｈ１と、該第１端材層Ｈ１の隣接する端材Ｈ間の上面に上記複数の端材Ｈの木表ＨＦ両側をそれぞれ重ねて平面状に列設配置して成る第２端材層Ｈ２とを収容し、重ねられた木表ＨＦ同士の両側を釘打ちにより順次幅方向に接合して上記第１、第２端材層Ｈ１，Ｈ２が上記両添木端材ＨＳと共に一体化され、長手方向両端の切断により規定の長さの方形が形成される。
【選択図】    図１３
【図１】
0003653554.tif 000002
【図２】
0003653554.tif 000003
【図３】
0003653554.tif 000004
【図４】
0003653554.tif 000005
【図５】
0003653554.tif 000006
【図６】
0003653554.tif 000007
【図７】
0003653554.tif 000008
【図８】
0003653554.tif 000009
【図９】
0003653554.tif 000010
【図１０】
0003653554.tif 000011
【図１１】
0003653554.tif 000012
【図１２】
0003653554.tif 000013
【図１３】
0003653554.tif 000014
【図１４】
0003653554.tif 000015